(57)【要約】【課題】予備苗のせ台が前後支持機構により前後方向に位置変更可能に支持された乗用型田植機において、苗の補給の作業性を高める。【解決手段】複数の予備苗のせ台３１，３２を上下方向に所定の間隔を置いて配置された第１状態及び前後方向に一列状に配置された第２状態に位置変更可能に支持する支持機構４５と、予備苗のせ台３１，３２を第１状態及び第２状態に人為的に操作する為の操作具と、予備苗のせ台３１，３２を第１状態及び第２状態に保持可能な保持機構とが備えられる。予備苗のせ台３１，３２及び支持機構４５を前後方向に位置変更可能に支持する前後支持機構３７と、予備苗のせ台３１，３２及び支持機構４５の位置を前後方向に人為的に変更する為の前後操作具と、予備苗のせ台３１，３２及び支持機構４５を前後方向の所望の位置に保持可能な前後保持機構とが備えられる。【選択図】図６
2020099258.tif 000002
【特許請求の範囲】
【請求項１】
複数の予備苗のせ台が上下方向に所定の間隔を置いて配置された第１状態、及び、複数の前記予備苗のせ台が前後方向に一列状に配置された第２状態に、前記予備苗のせ台を位置変更可能に支持する支持機構と、
前記予備苗のせ台を前記第１状態及び前記第２状態に人為的に操作する為の操作具と、
前記予備苗のせ台を前記第１状態及び前記第２状態に保持可能、並びに、前記予備苗のせ台の前記第１状態及び前記第２状態への操作を許容可能な保持機構とが備えられ、
前記予備苗のせ台及び前記支持機構を前後方向に位置変更可能に支持する前後支持機構と、
前記予備苗のせ台及び前記支持機構の位置を前後方向に人為的に変更する為の前後操作具と、
前記予備苗のせ台及び前記支持機構を前後方向の所望の位置に保持可能、並びに、前記予備苗のせ台及び前記支持機構の前後方向への位置変更を許容可能な前後保持機構とが備えられている乗用型田植機。
【請求項２】
前記予備苗のせ台、前記支持機構及び前記前後支持機構が、運転座席を有する機体の前部の右部及び左部に設けられ、
前記第１状態及び前記第２状態において、前記操作具の持ち手部及び前記前後操作具の持ち手部が、側面視で、前記前後支持機構の後側に配置され、且つ、前記予備苗のせ台の後端部の前側に配置されている請求項１に記載の乗用型田植機。
【請求項３】
前記第１状態において、前記操作具の持ち手部が、側面視で、前記前後操作具の持ち手部の上側に配置される請求項２に記載の乗用型田植機。
【請求項４】
前記第２状態において、前記操作具の持ち手部が、側面視で、前記前後操作具の持ち手部の後側に配置されている請求項２又は３に記載の乗用型田植機。
【請求項５】
前記操作具の持ち手部が前後方向に沿って配置され、前記前後操作具の持ち手部が上下方向に沿って配置されている請求項２〜４のうちのいずれか一項に記載の乗用型田植機。
【請求項６】
前記前後操作具が前後方向に沿った軸芯周りに回転可能に支持され、
前記前後操作具の持ち手部が上下方向に沿った姿勢に操作されると、前記前後保持機構が保持状態に操作され、前記前後操作具の持ち手部が左右方向に沿った姿勢に操作されると、前記前後保持機構が解除状態に操作される請求項５に記載の乗用型田植機。
【請求項７】
前記保持機構は、
前記予備苗のせ台が前記第１状態及び前記第２状態に操作された状態で、解除状態に維持可能、且つ、
前記予備苗のせ台が前記第１状態及び前記第２状態に操作されると、自動的に保持状態となる請求項１〜６のうちのいずれか一項に記載の乗用型田植機。
【発明の詳細な説明】
【技術分野】
【０００１】
本発明は、乗用型田植機における予備苗のせ台の構成に関する。
【背景技術】
【０００２】
乗用型田植機では、特許文献１に開示されているように、機体に設けられた予備苗のせ台が、前後支持機構により前後方向に位置変更可能に支持され、作業者が前後操作具を持って予備苗のせ台の位置を前後方向に変更することができるものがある。
【０００３】
畦から機体に苗を補給する場合、機体を畦に接近させ、予備苗のせ台を前側に移動させて畦に接近させることにより、畦の作業者は苗を畦から予備苗のせ台に容易に補給することができる。
【０００４】
機体の後部の苗植付装置の苗のせ台に苗を補給する場合、予備苗のせ台を後側に移動させて苗のせ台に接近させることにより、機体の作業者は苗を予備苗のせ台から苗植付装置の苗のせ台に容易に補給することができる。
【先行技術文献】
【特許文献】
【０００５】
【特許文献１】特開２００５−３４８６３４号公報
【発明の概要】
【発明が解決しようとする課題】
【０００６】
乗用型田植機では、苗を畦から予備苗のせ台に補給する作業、及び、苗を予備苗のせ台から苗植付装置の苗のせ台に補給する作業が繰り返されるので、このような苗の補給の作業性を高める必要がある。
【０００７】
本発明は、予備苗のせ台が前後支持機構により前後方向に位置変更可能に支持された乗用型田植機において、苗の補給の作業性を高めることを目的としている。
【課題を解決するための手段】
【０００８】
本発明の乗用型田植機は、複数の予備苗のせ台が上下方向に所定の間隔を置いて配置された第１状態、及び、複数の前記予備苗のせ台が前後方向に一列状に配置された第２状態に、前記予備苗のせ台を位置変更可能に支持する支持機構と、前記予備苗のせ台を前記第１状態及び前記第２状態に人為的に操作する為の操作具と、前記予備苗のせ台を前記第１状態及び前記第２状態に保持可能、並びに、前記予備苗のせ台の前記第１状態及び前記第２状態への操作を許容可能な保持機構とが備えられ、前記予備苗のせ台及び前記支持機構を前後方向に位置変更可能に支持する前後支持機構と、前記予備苗のせ台及び前記支持機構の位置を前後方向に人為的に変更する為の前後操作具と、前記予備苗のせ台及び前記支持機構を前後方向の所望の位置に保持可能、並びに、前記予備苗のせ台及び前記支持機構の前後方向への位置変更を許容可能な前後保持機構とが備えられている。
【０００９】
本発明によると、複数の予備苗のせ台が上下方向に所定の間隔を置いて配置された第１状態、及び、複数の予備苗のせ台が前後方向に一列状に配置された第２状態に、予備苗のせ台が、支持機構により位置変更可能に支持されている。
作業者は、保持機構により予備苗のせ台を第１状態に保持することができ、保持機構により予備苗のせ台を第２状態に保持することができる。作業者は、保持機構を解除状態に操作することにより、a操作具を持って予備苗のせ台を第１状態から第２状態に操作することができるのであり、第２状態から第１状態に操作することができる。
【００１０】
本発明によると、作業者は、前後保持機構を解除状態に操作することにより、第１状態又は第２状態の予備苗のせ台及び支持機構の位置を前後方向に変更することができるのであり、前後保持機構を保持状態に操作することにより、第１状態又は第２状態の予備苗のせ台及び支持機構の位置を所望の位置に保持することができる。
【００１１】
以上のように本発明によると、苗を畦から予備苗のせ台に補給する作業、及び、苗を予備苗のせ台から苗植付装置の苗のせ台に補給する作業を行う場合、作業者は、各種の作業状況に応じて、予備苗のせ台を第１状態又は第２状態に設定することができ、予備苗のせ台及び支持機構の位置を前後方向に変更することができる。
これにより、苗の補給の作業に適した予備苗のせ台の状態及び位置を設定することができるようになって、苗の補給の作業性を高めることができる。
【００１２】
本発明において、前記予備苗のせ台、前記支持機構及び前記前後支持機構が、運転座席を有する機体の前部の右部及び左部に設けられ、前記第１状態及び前記第２状態において、前記操作具の持ち手部及び前記前後操作具の持ち手部が、側面視で、前記前後支持機構の後側に配置され、且つ、前記予備苗のせ台の後端部の前側に配置されていると好適である。
【００１３】
乗用型田植機では、予備苗のせ台が、運転座席を有する機体の前部の右部及び左部に設けられることが多く、作業者は、予備苗のせ台と運転座席との間を左右方向に移動して乗降することが多い。
【００１４】
本発明によると、操作具の持ち手部及び前後操作具の持ち手部が、側面視で、予備苗のせ台の後端部の前側に配置されており、予備苗のせ台の後端部から後側（運転座席側）に出ていないので、作業者の乗降の妨げとはならない。
【００１５】
操作具の持ち手部及び前後操作具の持ち手部が、側面視で、前後支持機構の後側に配置されており、運転座席から前側に大きく離れていないので、運転座席の作業者は、操作具の持ち手部及び前後操作具の持ち手部を無理なく持つことができ、操作具及び前後操作具を無理なく操作することができる。
【００１６】
本発明において、前記第１状態において、前記操作具の持ち手部が、側面視で、前記前後操作具の持ち手部の上側に配置されると好適である。
【００１７】
予備苗のせ台の第１状態から第２状態への操作及び第２状態から第１状態への操作は、予備苗のせ台の前後方向の位置変更操作に比べて、操作頻度が高いと考えられる。
本発明によると、第１状態において、操作具の持ち手部が側面視で前後操作具の持ち手部の上側に配置されているので、運転座席の作業者が操作具の持ち手部を持ち易く、予備苗のせ台の第１状態から第２状態への操作が行い易くなる。
【００１８】
本発明において、前記第２状態において、前記操作具の持ち手部が、側面視で、前記前後操作具の持ち手部の後側に配置されていると好適である。
【００１９】
予備苗のせ台の第１状態から第２状態への操作及び第２状態から第１状態への操作は、予備苗のせ台の前後方向の位置変更操作に比べて、操作頻度が高いと考えられる。
本発明によると、第２状態において、操作具の持ち手部が側面視で前後操作具の持ち手部の後側に配置されているので、運転座席の作業者が操作具の持ち手部を持ち易く、予備苗のせ台の第２状態から第１状態への操作が行い易くなる。
【００２０】
本発明において、前記操作具の持ち手部が前後方向に沿って配置され、前記前後操作具の持ち手部が上下方向に沿って配置されていると好適である。
【００２１】
本発明によると、操作具の持ち手部の姿勢（前後方向）と、前後操作具の持ち手部の姿勢（上下方向）とが異なるものであり、作業者が操作具の持ち手部と前後操作具の持ち手部とを判別し易くなるので、作業者が間違って操作具の持ち手部を持ったり、間違って前後操作具の持ち手部を持ったりすることが少なくなる。
【００２２】
予備苗のせ台の第１状態から第２状態への操作及び第２状態から第１状態への操作は、予備苗のせ台を上側に移動させたり下側に移動させたりというように、予備苗のせ台を上下方向に移動させる。
本発明によると、操作具の持ち手部が前後方向に沿って配置されているので、操作具の持ち手部の姿勢と、予備苗のせ台の移動方向（上下方向）とが交差する状態となるので、作業者は操作具の持ち手部に操作力を掛け易く、予備苗のせ台の第１状態から第２状態への操作及び第２状態から第１状態への操作が行い易くなる。
【００２３】
本発明によると、前後操作具の持ち手部の姿勢と、予備苗のせ台の前後方向の位置変更操作とが交差する状態となるので、作業者は前後操作具の持ち手部に操作力を掛け易く、予備苗のせ台の前後方向の位置変更操作が行い易くなる。
【００２４】
本発明において、前記前後操作具が前後方向に沿った軸芯周りに回転可能に支持され、前記前後操作具の持ち手部が上下方向に沿った姿勢に操作されると、前記前後保持機構が保持状態に操作され、前記前後操作具の持ち手部が左右方向に沿った姿勢に操作されると、前記前後保持機構が解除状態に操作されると好適である。
【００２５】
予備苗のせ台が運転座席を有する機体の前部の右部及び左部に設けられた乗用型田植機では、作業者が予備苗のせ台と運転座席との間を左右方向に移動して乗降することに加えて、作業者が予備苗のせ台の機体左右中央側を前後方向に移動して乗降することがある。
【００２６】
前後保持機構が解除状態に操作されるのは、予備苗のせ台の前後方向の位置変更操作を行う場合なので、前後保持機構が解除状態に操作されている時間よりも、前後保持機構が保持状態に操作されている時間の方が十分に長い。前後保持機構が保持状態に操作された状態において、作業者が予備苗のせ台の機体左右中央側を前後方向に移動して乗降することが多い。
【００２７】
本発明によると、前後操作具により前後保持機構の操作を行うことができるように構成された場合、前後操作具の持ち手部が上下方向に沿った姿勢に操作されると、前後保持機構が保持状態に操作される。
これにより、作業者が予備苗のせ台の機体左右中央側を前後方向に移動して乗降する際に、前後操作具の持ち手部が作業者の乗降経路に入り込むことは少なく、前後操作具の持ち手部により作業者の乗降が妨げられることは少ない。
【００２８】
本発明において、前記保持機構は、前記予備苗のせ台が前記第１状態及び前記第２状態に操作された状態で、解除状態に維持可能、且つ、前記予備苗のせ台が前記第１状態及び前記第２状態に操作されると、自動的に保持状態となると好適である。
【００２９】
本発明によると、作業者が予備苗のせ台の第１状態から第２状態への操作及び第２状態から第１状態への操作を行う際、作業者が保持機構を解除状態に操作すると、保持機構は解除状態に維持可能であるので、作業者は、保持機構が保持状態に戻るのを止める操作を行わなくても、予備苗のせ台の第１状態から第２状態への操作及び第２状態から第１状態への操作を無理なく行うことができる。
【００３０】
本発明によると、保持機構が解除状態に維持されながら、作業者が予備苗のせ台を第１状態から第２状態に操作すると（第２状態から第１状態に操作すると）、解除状態の保持機構が自動的に保持状態となるので、作業者は保持機構を解除状態から保持状態に操作する必要がなく、操作性の良いものとなる。
【図面の簡単な説明】
【００３１】
【図１】乗用型田植機の左側面図である。
【図２】乗用型田植機の前部の平面図である。
【図３】乗用型田植機の前部の正面図である。
【図４】第１状態の左の予備苗のせ台の付近の左側面図である。
【図５】第２状態の左の予備苗のせ台の付近の左側面図である。
【図６】第１状態の左の予備苗のせ台が中央位置、前側位置及び後側位置に位置変更された状態を示す左側面図である。
【図７】左の第１支持リンク及び第２支持リンクの付近の分解斜視図である。
【図８】左の支持部材の付近の縦断正面図である。
【図９】左の支持部材の付近の左側面図である。
【図１０】発明の実施の第１別形態において、左の予備苗のせ台の付近の左側面図及び背面図である。
【図１１】発明の実施の第１別形態において、左の操作具及び保持具の付近の左側面図である。
【図１２】発明の実施の第２別形態において、第１状態の左の予備苗のせ台の付近の概略を示す左側面図である。
【発明を実施するための形態】
【００３２】
図１〜図１２において、Ｆは前方向を示し、Ｂは後方向を示し、Ｕは上方向を示し、Ｄは下方向を示している。Ｒは右方向を示し、Ｌは左方向を示している。
【００３３】
（乗用型田植機の全体構成）
図１に示すように、乗用型田植機は、右及び左の前輪１、右及び左の後輪２が設けられた機体３の後部に、リンク機構４が上下に揺動可能に支持されて後側に延出されており、リンク機構４を昇降操作する油圧シリンダ５が設けられている。
【００３４】
苗植付装置６がリンク機構４の後部に支持され、機体３の後部及び苗植付装置６に亘って、田面に肥料を供給する施肥装置７が設けられており、苗植付装置６の前側の下部に、田面を整地する整地装置８が支持されている。
【００３５】
図１，２，３に示すように、機体３の前部の右部及び左部に、複数の予備苗のせ台３１，３２が配置されている。
後述の（予備苗のせ台及び支持機構を前後方向に位置変更可能に支持する前後支持機構の構成）、及び（予備苗のせ台を第１状態及び第２状態に操作する為の操作具、保持機構及び保持具の構成）に記載のように、予備苗のせ台３１，３２は、前後支持機構３７及び支持機構４５を介して機体３に支持されている。
【００３６】
（機体の前部の構成）
図１，２，３に示すように、機体３の前部に配置されたミッションケース２２に、支持フレーム２３が連結されて前側に延出され、支持フレーム２３にエンジン（図示せず）が支持されている。エンジンを覆うボンネット２４が機体３の前部に設けられている。
【００３７】
前輪１を操向操作する操縦ハンドル２５、走行用の変速レバー２６、及び油圧シリンダ５を作動操作する為の昇降レバー２７が、ボンネット２４の上部に設けられている。
正面視でアーチ状の操作アーム５３が、起立姿勢（図１，２，３参照）、起立姿勢から前側に倒れた前傾姿勢に操作可能に、支持フレーム２３に支持されており、操作アーム５３の上部に、センターマスコット５４が設けられている。
【００３８】
ボンネット２４の右側及び左側からボンネット２４の後側に亘って、フロア２８が設けられており、フロア２８の後部の上部に、運転座席２０が配置されている。
作業者は、右及び左の予備苗のせ台３１，３２と運転座席２０との間を左右方向に移動して、機体３への乗降を行う。
【００３９】
フロア２８において、ボンネット２４と右の予備苗のせ台３１，３２との間、ボンネット２４と左の予備苗のせ台３１，３２との間が、右及び左の通路となっており、作業者は右又は左の通路を前後方向に移動して、機体３への乗降を行う。
【００４０】
フロア２８におけるボンネット２４の右側の部分に、ブレーキペダル５５が設けられ、ブレーキペダル５５に連結されたブレーキレバー５６が設けられており、フロア２８にロックレバー５７が設けられている。
【００４１】
例えば畦を越えて水田に進入する場合や、畦を越えて水田から出る場合、作業者は、機体３から降りて機体３の前側に立ち、操作アーム５３を前傾姿勢に設定して、操作アーム５３を持つことにより、機体３の向きの修正を行ったり、機体３の前部の浮き上がりを押さえたりする。
【００４２】
作業者は、手を延ばして変速レバー２６を操作したり、ブレーキレバー５６を持ってブレーキペダル５５を操作したりする。踏み込み状態（制動状態）のブレーキペダル５５及びブレーキレバー５６に、ロックレバー５７を掛けることにより、ブレーキペダル５５及びブレーキレバー５６を、踏み込み状態（制動状態）で保持することができる。
【００４３】
（苗植付装置の構成）
図１に示すように、苗植付装置６に、植付伝動ケース９、回転ケース１０、植付アーム１１、フロート１２、苗のせ台１３等が設けられている。
【００４４】
２個の植付伝動ケース９の後部の右部及び左部に、回転ケース１０が回転可能に支持され、回転ケース１０の両端に、植付アーム１１が支持されている。苗のせ台１３が、左右方向に往復移動可能に支持されている。
【００４５】
苗のせ台１３が左右方向に往復横送り駆動されるのに伴って、回転ケース１０が回転駆動され、苗のせ台１３の下部から植付アーム１１が交互に苗を取り出して田面に植え付ける。
【００４６】
（施肥装置の構成）
図１に示すように、施肥装置７に、ホッパー１５、繰り出し部１６、ブロア１７、作溝器１８及びホース１９等が設けられている。
【００４７】
機体３において運転座席２０の後側に、肥料を貯留するホッパー１５及び繰り出し部１６が支持されており、繰り出し部１６の左の横外側にブロア１７が設けられている。フロート１２に作溝器１８が取り付けられて、４個の作溝器１８が設けられており、繰り出し部１６と作溝器１８とに亘って４本のホース１９が接続されている。
【００４８】
ホッパー１５の肥料が繰り出し部１６により繰り出され、ブロア１７の搬送風によりホース１９を通って作溝器１８に供給されるのであり、作溝器１８により田面に溝が形成されながら、作溝器１８から田面の溝に肥料が供給される。
【００４９】
（整地装置の構成）
図１に示すように、苗植付装置６に支持された右及び左の支持ケース１４が、前側に延出されており、支持ケース１４の前部に亘って、駆動軸（図示せず）が回転可能に支持されて、多数の整地体２１が駆動軸に取り付けられている。
【００５０】
苗植付装置６の動力が、植付伝動ケース９から、支持ケース１４の伝動チェーン（図示せず）を介して、駆動軸に伝達され、駆動軸及び整地体２１が図１の反時計方向に回転駆動されて、整地体２１により田面の整地が行われる。
【００５１】
（予備苗のせ台及び支持機構を前後方向に位置変更可能に支持する前後支持機構の構成）
図１〜図４に示すように、フレーム２９が、支持フレーム２３に連結されて、支持フレーム２３から右側及び左側に延出されており、フレーム２９の右端部及び左端部にブラケット３０が連結されている。
【００５２】
右及び左の支持フレーム３３の下部が、ブラケット３０の左右方向の軸芯Ｐ１周りに前後に揺動可能に支持され、右及び左の支持アーム３４の下部が、ブラケット３０の左右方向の軸芯Ｐ２周りに前後に揺動可能に支持されて、支持フレーム３３及び支持アーム３４が上側に延出されている。
【００５３】
図２及び図３に示すように、フロア２８の右前部及び左前部に凹部２８ａが形成されており、フロア２８におけるボンネット２４の付近の左右幅が、フロア２８における運転座席２０の付近の左右幅よりも小さなものとなっている。ブラケット３０、支持フレーム３３の下部及び支持アーム３４の下部が、平面視でフロア２８の凹部２８ａに入り込むように配置されている。
【００５４】
図３，７，８，９に示すように、アングル形状に折り曲げられた支持部材３５が、支持フレーム３３の上端部に連結されて、支点軸３３ａが、支持フレーム３３の上端部に外向きに連結されている。
【００５５】
図４，７，８に示すように、板材が箱状に折り曲げられて形成された支持部材３６が、左右方向の軸芯Ｐ３周りに揺動可能に、支持フレーム３３の支点軸３３ａに支持されている。支持部材３６から前側に延出されたアーム部３６ａに、支持アーム３４の上端部が、左右方向の軸芯Ｐ４周りに揺動可能に接続されている。
【００５６】
図１，４，６に示すように、支持フレーム３３、支持アーム３４及び支持部材３６が、側面視で平行四連リンクに構成されている。支持フレーム３３及び支持アーム３４を前後に揺動させることにより、支持部材３６が、上下方向に沿った姿勢を維持しながら、支持フレーム３３が上下方向に沿った中央位置Ｂ１、支持フレーム３３が前側に傾斜した前側位置Ｂ２、支持フレーム３３が後側に傾斜した後側位置Ｂ３に、前後方向に位置変更される。
【００５７】
図３に示すように、丸棒状の弾性材が折り曲げられた右及び左のトーションバネ４６が設けられている。トーションバネ４６が軸芯Ｐ１に沿って配置されて、トーションバネ４６の一方の端部が支持フレーム２３に連結され、トーションバネ４６の他方の端部が支持フレーム３３に接続されている。トーションバネ４６により、支持フレーム３３が前側位置Ｂ２及び後側位置Ｂ３から中央位置Ｂ１に付勢されている。
【００５８】
以上のように、支持フレーム３３、支持アーム３４及び支持部材３６等を備えた前後支持機構３７が設けられている。後述の（予備苗のせ台を第１状態及び第２状態に位置変更可能に前後支持機構に支持する支持機構の構成）に記載のように、予備苗のせ台３１，３２が、支持機構４５を介して支持部材３６及び支持フレーム３３に支持されている。
【００５９】
支持フレーム３３及び支持アーム３４が、機体３の前部の右部及び左部に設けられており、予備苗のせ台３１，３２、支持機構４５及び前後支持機構３７が、機体３の前部の右部及び左部に設けられている。予備苗のせ台３１，３２及び支持機構４５が、前後支持機構３７により、中央位置Ｂ１、前側位置Ｂ２及び後側位置Ｂ３に、前後方向に位置変更可能に支持されている。
【００６０】
（前後支持機構を中央位置、前側位置及び後側位置に保持可能な前後保持機構の構成）
図２，３，４，７に示すように、丸棒材が折り曲げられて、予備苗のせ台３１，３２及び支持機構４５の位置を前後方向に人為的に変更する為の前後操作具３８が設けられている。
【００６１】
前後操作具３８が、支持部材３６の前後方向に沿った軸芯Ｐ５周りに回転可能に支持されて、支持部材３６から前側及び後側に延出されている。図７及び図８に示すように、支持部材３６の内部において、前後操作具３８に丸棒状の係合部３８ｃが連結されている。
【００６２】
前後操作具３８の前端部が下向きに折り曲げられて、前後操作具３８の前端部に、上下方向に沿った持ち手部３８ａが設けられており、前後操作具３８の後端部が下向きに折り曲げられて、前後操作具３８の後端部に、上下方向に沿った持ち手部３８ｂが設けられている。
【００６３】
図７，８，９に示すように、側面視で円弧状のガイド孔３９が、支持部材３５に開口されている。ガイド孔３９に、下向きに開口された中央保持部３９ａ、前側保持部３９ｂ及び後側保持部３９ｃが設けられ、中央保持部３９ａの上側から下向きに突出する牽制部３９ｄが設けられている。
【００６４】
前後操作具３８の係合部３８ｃが、ガイド孔３９に挿入されている。支持部材３６の内部において、前後操作具３８に受け板３８ｄが連結されて、前後操作具３８の受け板３８ｄと支持部材３６の内面との間に、バネ４０が取り付けられている。バネ４０により前後操作具３８が図８の反時計方向に付勢されており、前後操作具３８の係合部３８ｃが、ガイド孔３９の中央保持部３９ａ、前側保持部３９ｂ及び後側保持部３９ｃに入る側に付勢されている。
【００６５】
以上のように、前後操作具３８と支持部材３５との間において、予備苗のせ台３１，３２及び支持機構４５を前後方向の所望の位置に保持可能、並びに、予備苗のせ台３１，３２及び支持機構４５の前後方向への位置変更を許容可能な前後保持機構６１が設けられており、前後保持機構６１に、前後操作具３８の係合部３８ｃ、支持部材３５及びガイド孔３９等が設けられている。
【００６６】
（前後操作具による中央位置、前側位置及び後側位置への操作）
図４及び図９に示す状態は、予備苗のせ台３１，３２及び支持機構４５が、中央位置Ｂ１（図６参照）に操作された状態である。
【００６７】
前後操作具３８の持ち手部３８ａ，３８ｂが、上下方向に沿った下向きの保持位置Ｃ１（図８参照）に操作されて、前後操作具３８の係合部３８ｃがガイド孔３９の中央保持部３９ａに入り込んでおり、予備苗のせ台３１，３２及び支持機構４５が、前後保持機構６１によって中央位置Ｂ１に保持されている（前後保持機構６１の保持状態）。
【００６８】
機体３の前側の畦や水田内に立つ作業者は、前後操作具３８の持ち手部３８ａを持つことができるのであり、運転座席２０の作業者は前後操作具３８の持ち手部３８ｂを持つことができる。
【００６９】
図８及び図９に示すように、作業者が、前後操作具３８の持ち手部３８ａ，３８ｂを持ち、前後操作具３８を軸芯Ｐ５周りに、少し左右方向に沿った上下方向に近い解除位置Ｃ２に操作すると、前後操作具３８の係合部３８ｃが、ガイド孔３９の中央保持部３９ａから上側に抜ける（前後保持機構６１の解除状態）。
【００７０】
作業者は、前後操作具３８の持ち手部３８ａ，３８ｂを解除位置Ｃ２に維持しながら、前後操作具３８を前後に押し引き操作することにより、予備苗のせ台３１，３２及び支持機構４５を、図６に示すように、中央位置Ｂ１から前側位置Ｂ２又は後側位置Ｂ３に、人為的に前後方向に位置変更することができる。
【００７１】
図６及び図９に示すように、予備苗のせ台３１，３２及び支持機構４５が、前側位置Ｂ２（後側位置Ｂ３）に位置変更されると、上下方向に沿った姿勢に維持された支持部材３６に対して、支持部材３５が軸芯Ｐ３周りに揺動する状態となるのであり、前後操作具３８の係合部３８ｃに対してガイド孔３９が軸芯Ｐ３周りに揺動する。
【００７２】
前側位置Ｂ２において前後操作具３８の係合部３８ｃが、ガイド孔３９の前側保持部３９ｂの上側に位置し、後側位置Ｂ３において前後操作具３８の係合部３８ｃが、ガイド孔３９の後側保持部３９ｃの上側に位置する。
【００７３】
作業者は、予備苗のせ台３１，３２及び支持機構４５を前側位置Ｂ２（後側位置Ｂ３）に位置変更した後、前後操作具３８を保持位置Ｃ１に操作し、前後操作具３８の係合部３８ｃを、ガイド孔３９の前側保持部３９ｂ（後側保持部３９ｃ）に入り込ませる。これにより、予備苗のせ台３１，３２及び支持機構４５が、前後保持機構６１によって図６に示す前側位置Ｂ２（後側位置Ｂ３）に保持される（前後保持機構６１の保持状態）。
【００７４】
作業者が、予備苗のせ台３１，３２及び支持機構４５を、前側位置Ｂ２から中央位置Ｂ１又は後側位置Ｂ３、後側位置Ｂ３から中央位置Ｂ１又は前側位置Ｂ２に位置変更する場合、作業者は、前後操作具３８の持ち手部３８ａ，３８ｂを持ち、前後操作具３８を解除位置Ｃ２に操作して、前述と同様な操作を行えばよい。
【００７５】
前後操作具３８の持ち手部３８ａ，３８ｂの解除位置Ｃ２の姿勢と、予備苗のせ台３１，３２及び支持機構４５の前後方向の位置変更操作とが交差する状態となるので、作業者は前後操作具３８の持ち手部３８ａ，３８ｂに操作力を掛け易く、予備苗のせ台３１，３２及び支持機構４５の前後方向の位置変更操作が行い易くなる。
【００７６】
作業者が、予備苗のせ台３１，３２及び支持機構４５を、前側位置Ｂ２から後側位置Ｂ３（後側位置Ｂ３から前側位置Ｂ２）に位置変更する場合、途中の中央位置Ｂ１で、前後操作具３８の係合部３８ｃにガイド孔３９の牽制部３９ｄが当たり、前後操作具３８の係合部３８ｃがガイド孔３９の中央保持部３９ａに案内されて、前後操作具３８が保持位置Ｃ１に操作される。
【００７７】
これにより、予備苗のせ台３１，３２及び支持機構４５が、途中の中央位置Ｂ１に保持されるのであり、作業者は、前後操作具３８を再び解除位置Ｃ２に操作して、予備苗のせ台３１，３２及び支持機構４５を、中央位置Ｂ１から後側位置Ｂ３（前側位置Ｂ２）に位置変更する。
【００７８】
（予備苗のせ台を第１状態及び第２状態に位置変更可能に前後支持機構に支持する支持機構の構成）
図４及び図７に示すように、支持部材３６に、アーム部３６ｂが連結されて後側に延出されており、支点軸３６ｃが、アーム部３６ｂの端部に外向きに連結されている。
【００７９】
丸パイプ状の第１支持リンク４１及び第２支持リンク４２が設けられている。第１支持リンク４１の長手方向の中央部が、左右方向の軸芯Ｐ３周りに揺動可能に、支持フレーム３３の支点軸３３ａに支持されている。第２支持リンク４２の長手方向の中央部が、左右方向の軸芯Ｐ６周りに揺動可能に、支持部材３６の支点軸３６ｃに支持されている。
【００８０】
図２，３，４，８に示すように、角パイプ状の苗のせ台フレーム５１，５２が設けられている。
第１支持リンク４１の一方の端部が、左右方向の軸芯Ｐ８周りに揺動可能に、苗のせ台フレーム５１の前部（予備苗のせ台３１の前端部３１ａから後側の部分）に接続されている。第２支持リンク４２の一方の端部が、左右方向の軸芯Ｐ７周りに揺動可能に、苗のせ台フレーム５１の前後中間部（予備苗のせ台３１の前後中央部）に接続されている。
【００８１】
第１支持リンク４１の他方の端部が、左右方向の軸芯Ｐ１０周りに揺動可能に、苗のせ台フレーム５２の後部（予備苗のせ台３２の前後中央部から後側の部分）に接続されている。第２支持リンク４２の他方の端部が、左右方向の軸芯Ｐ９周りに揺動可能に、苗のせ台フレーム５２の後部（予備苗のせ台３２の後端部３２ｂ）に接続されている。
【００８２】
図１，２，３に示すように、予備苗のせ台３１，３２は合成樹脂により一体的に形成されており、アーチ状の苗止め部材４３，４４が、予備苗のせ台３１，３２の前部及び後部に、着脱可能に設けられている。
【００８３】
図３及び図４に示すように、苗のせ台フレーム５１，５２の前部及び後部に、ブラケット５１ａ，５２ａが設けられており、ブラケット５１ａ，５２ａの前後方向の軸芯Ｐ１１，Ｐ１２周りに、予備苗のせ台３１，３２が、横向きの使用姿勢（図１，２，３参照）、及び起立した格納姿勢に姿勢変更可能に支持されている。
【００８４】
丸棒状の弾性材が折り曲げられた押さえ部材４７が、苗のせ台フレーム５１のブラケット５１ａに設けられている。押さえ部材４７は、起立した解除姿勢（図３及び図４参照）及び使用姿勢の予備苗のせ台３１に押圧される押さえ姿勢に、トグル機能によって操作可能である。
【００８５】
作業者は、空の苗箱（図示せず）や苗すくい板（図示せず）を、使用姿勢の予備苗のせ台３１に置いた場合、押さえ部材４７を押さえ姿勢に操作して、押さえ部材４７により、空の苗箱や苗すくい板が風で飛ばされないように押さえておく。
【００８６】
以上のように、第１支持リンク４１及び第２支持リンク４２、苗のせ台フレーム５１，５２等を備えた支持機構４５が設けられている。
後述の（操作具による予備苗のせ台及び支持機構の第１状態及び第２状態への操作）に記載のように、予備苗のせ台３１，３２が、上下方向に所定の間隔を置いて配置された第１状態Ａ１（図４参照）、及び、前後方向に一列状に配置された第２状態Ａ２（図５参照）に位置変更可能に、支持機構４５により支持部材３６及び支持フレーム３３に支持されている。
【００８７】
（支持機構における第１支持リンク及び第２支持リンクの位置関係）
図４，６，７に示すように、軸芯Ｐ３（支持フレーム３３の支点軸３３ａ）が、側面視において、第１状態Ａ１での上側の予備苗のせ台３１と下側の予備苗のせ台３２との間に配置されており、第１状態Ａ１での予備苗のせ台３１，３２の前後中央部を上下方向に通る仮想線に配置されている。
【００８８】
軸芯Ｐ６（支持部材３６の支点軸３６ｃ）が、側面視において、第１状態Ａ１での上側の予備苗のせ台３１と下側の予備苗のせ台３２との間に配置されており、軸芯Ｐ３の後側に配置されている。
【００８９】
第１状態Ａ１での第１支持リンク４１の軸芯Ｐ３から前側の斜め上側に延出された部分に、第１状態Ａ１での上側の予備苗のせ台３１の前端部３１ａから後側の部分が、軸芯Ｐ８周りに揺動可能に接続されている。
【００９０】
第１状態Ａ１での第１支持リンク４１の軸芯Ｐ３から後側の斜め下側に延出された部分に、第１状態Ａ１での下側の予備苗のせ台３２の前後中央部から後側の部分が、軸芯Ｐ１０周りに揺動可能に接続されている。
【００９１】
第１状態Ａ１での第２支持リンク４２の軸芯Ｐ６から前側の斜め上側に延出された部分に、第１状態Ａ１での上側の予備苗のせ台３１の前後中央部が、軸芯Ｐ７周りに揺動可能に接続されている。
【００９２】
第１状態Ａ１での第２支持リンク４２の軸芯Ｐ６から後側の斜め下側に延出された部分に、第１状態Ａ１での下側の予備苗のせ台３２の後端部３２ｂが、軸芯Ｐ９周りに揺動可能に接続されている。
【００９３】
側面視において、第１支持リンク４１が、第１状態Ａ１での予備苗のせ台３１，３２の前後方向での中央部付近に配置され、第２支持リンク４２が第１支持リンク４１の後側に配置されており、予備苗のせ台３１，３２の第１状態Ａ１において、第１支持リンク４１及び第２支持リンク４２が、予備苗のせ台３１，３２に対して後側に配置される。
【００９４】
これにより、予備苗のせ台３１，３２の第１状態Ａ１において、上側の予備苗のせ台３１の前部と下側の予備苗のせ台３２の前部とに間に、第１支持リンク４１及び第２支持リンク４２が存在しない領域Ｅ１が生じている。
【００９５】
予備苗のせ台３１，３２の第１状態Ａ１において、第１支持リンク４１及び第２支持リンク４２が、軸芯Ｐ３及び軸芯Ｐ６から前側の斜め上側に延出され、後側の斜め下側に延出されるので、上側の予備苗のせ台３１の前部と下側の予備苗のせ台３２の前部との間において、第１支持リンク４１及び第２支持リンク４２が存在しない領域Ｅ１は、下側の予備苗のせ台３２の付近が大きなものとなる。
【００９６】
図２に示すように、予備苗のせ台３１，３２の第１状態Ａ１において、運転座席２０の作業者が右及び左の斜め前方を目視する場合（視線Ｆ１参照）、上側の予備苗のせ台３１と下側の予備苗のせ台３２との間を通して前方を目視する際に、第１支持リンク４１及び第２支持リンク４２が視界（視線Ｆ１）の制限になることは少ない。
【００９７】
運転座席２０の作業者が右及び左の斜め前方の斜め下方を目視して、田面を目視する際に（視線Ｆ１参照）、第１支持リンク４１及び第２支持リンク４２が存在しない領域Ｅ１において、下側の予備苗のせ台３２の付近を目視することにより、第１支持リンク４１及び第２支持リンク４２が視界（視線Ｆ１）の制限になることは少ない。
【００９８】
（予備苗のせ台を第１状態及び第２状態に操作する為の操作具、保持機構及び保持具の構成）
図２，４，５に示すように、右及び左の苗のせ台フレーム５１の後部（予備苗のせ台３１と第２支持リンク４２の接続部分（軸芯Ｐ７）の後側の部分）に、右及び左の操作具４８が連結されて後側に延出されている。これにより、操作具４８が、予備苗のせ台３１の機体左右中央側の横側部に前後方向に沿って設けられており、操作具４８の持ち手部４８ａが前後方向に沿って配置されている。
【００９９】
右及び左の苗のせ台フレーム５１の後部に連結されたブラケット５１ｂ（予備苗のせ台３１と第２支持リンク４２の接続部分（軸芯Ｐ７）の後側の部分）に、右及び左の保持具４９が、左右方向の軸芯Ｐ１３周りに上下に揺動可能に支持されて、操作具４８の下側に配置されるように後側に延出されている。これにより、保持具４９が、予備苗のせ台３１の機体左右中央側の横側部に、前後方向に沿って設けられている。
【０１００】
保持具４９は、操作具４８から下側に離れた保持位置Ｄ１、及び保持位置Ｄ１よりも上側で操作具４８に近い解除位置Ｄ２に、上下方向に操作可能である。凹部状の第１係合部４９ａ及び第２係合部４９ｂが、保持具４９の基部に設けられている。苗のせ台フレーム５１のブラケット５１ｂに、バネ５０が取り付けられており、バネ５０により保持具４９が保持位置Ｄ１に付勢されている。
【０１０１】
図４，５，７に示すように、右及び左の第２支持リンク４２において、苗のせ台フレーム５１に揺動可能に接続される部分（軸芯Ｐ７）を挟んだ一方側及び他方側の部分に、ピン状の第１係止部４２ａ及び第２係止部４２ｂが設けられている。支持部材３６のアーム部３６ｂに、ピン状のストッパー部３６ｄが設けられている。
【０１０２】
以上のように、第２支持リンク４２と保持具４９との間において、保持具４９（第１係合部４９ａ及び第２係合部４９ｂ）、第２支持リンク４２の第１係止部４２ａ及び第２係止部４２ｂ等を有する保持機構６２が設けられている。
【０１０３】
保持機構６２は、後述の（操作具による予備苗のせ台及び支持機構の第１状態及び第２状態への操作）に記載のように、第２支持リンク４２の予備苗のせ台３１に対する姿勢を固定することにより、予備苗のせ台３１，３２を第１状態Ａ１及び第２状態Ａ２に保持可能であり、第２支持リンク４２の予備苗のせ台３１に対する揺動を許容することにより、予備苗のせ台３１，３２の第１状態Ａ１及び第２状態Ａ２への操作を許容可能である。
【０１０４】
（操作具による予備苗のせ台及び支持機構の第１状態及び第２状態への操作）
図１〜図４に示す状態は、複数の予備苗のせ台３１，３２が上下方向に所定の間隔を置いて配置された第１状態Ａ１に操作された状態である。
【０１０５】
図４に示す状態は、第２支持リンク４２が、支持部材３６のストッパー部３６ｄに上側から当たり、保持具４９が保持位置Ｄ１に操作され、保持具４９の第１係合部４９ａが、第２支持リンク４２の第１係止部４２ａに係合して（保持具４９の第１係合部４９ａに、第２支持リンク４２の第１係止部４２ａが入り込んで）、予備苗のせ台３１，３２が第１状態Ａ１に保持された状態（保持機構６２の保持状態）である。
【０１０６】
予備苗のせ台３１，３２が第１状態Ａ１に保持された状態において、作業者が手で操作具４８を握るようにして持つと、手で保持具４９も一緒に握るようにして持つことができて、保持具４９を保持位置Ｄ１から解除位置Ｄ２に操作することができるのであり、保持具４９の第１係合部４９ａが、第２支持リンク４２の第１係止部４２ａから外れる（保持機構６２の解除状態）。
【０１０７】
図４から図５に示すように、作業者が、操作具４８及び解除位置Ｄ２の保持具４９を持ち、操作具４８及び解除位置Ｄ２の保持具４９を運転座席２０側（後側）に引き操作しながら下側に操作すると、第１支持リンク４１及び第２支持リンク４２が、軸芯Ｐ３，Ｐ６周りに図４及び図５の時計方向に揺動して、上側の予備苗のせ台３１が運転座席２０側（後側）の下側に位置変更され、下側の予備苗のせ台３２が前側の上側に位置変更される。
【０１０８】
図５に示すように、第１支持リンク４１が、支持部材３６のストッパー部３６ｄに上側から当たることにより、第１支持リンク４１及び第２支持リンク４２の揺動が止められるのであり、この状態において、第２支持リンク４２の第２係止部４２ｂが、保持具４９の第２係合部４９ｂに対向する。
【０１０９】
図５に示す状態が、複数の予備苗のせ台３１，３２が前後方向に一列状に配置された第２状態Ａ２である。第２状態Ａ２で、第１状態Ａ１での上側の予備苗のせ台３１が運転座席２０側（後側）となり、第１状態Ａ１での下側の予備苗のせ台３２が前側となり、予備苗のせ台３１の前端部３１ａと予備苗のせ台３２の後端部３２ｂとが接する。
【０１１０】
図５に示す状態において、作業者が保持具４９を離すと、バネ５０により保持具４９が解除位置Ｄ２から保持位置Ｄ１に揺動し、保持具４９の第２係合部４９ｂが、第２支持リンク４２の第２係止部４２ｂに係合して（保持具４９の第２係合部４９ｂに、第２支持リンク４２の第２係止部４２ｂが入り込んで）、予備苗のせ台３１，３２が第２状態Ａ２に保持される（保持機構６２の保持状態）。
【０１１１】
図５に示す第２状態Ａ２において、作業者が、前述のように保持具４９を保持位置Ｄ１から解除位置Ｄ２に操作し、操作具４８及び解除位置Ｄ２の保持具４９を持ち、操作具４８及び解除位置Ｄ２の保持具４９を前側に押し操作しながら上側に操作することより、予備苗のせ台３１，３２を第２状態Ａ２から、図４に示す第１状態Ａ１に位置変更することができる。
【０１１２】
操作具４８の持ち手部４８ａの姿勢と、予備苗のせ台３１，３２の移動方向（上下方向）とが交差する状態となるので、作業者は操作具４８の持ち手部４８ａに操作力を掛け易く、予備苗のせ台３１，３２の第１状態Ａ１から第２状態Ａ２への操作及び第２状態Ａ２から第１状態Ａ１への操作が行い易くなる。
【０１１３】
作業者が前後操作具３８を操作することによって、予備苗のせ台３１，３２を第１状態Ａ１（第２状態Ａ２）に維持しながら、予備苗のせ台３１，３２及び支持機構４５を、中央位置Ｂ１、前側位置Ｂ２及び後側位置Ｂ３に位置変更することができる（前述の（前後操作具による中央位置、前側位置及び後側位置への操作）参照）。
【０１１４】
（予備苗のせ台の第１状態での各部の位置関係）
図１〜図４に示すように、予備苗のせ台３１，３２の第１状態Ａ１において、各部の位置関係は以下の説明のようになっている。
【０１１５】
操作具４８の持ち手部４８ａ及び保持具４９、前後操作具３８の持ち手部３８ｂが、平面視で上側の予備苗のせ台３１の運転座席２０側（機体左右中央側）の横側部に設けられている。操作具４８の持ち手部４８ａ及び保持具４９、前後操作具３８の持ち手部３８ｂが、側面視で、前後支持機構３７（支持フレーム３３）の後側に配置され、且つ、予備苗のせ台３１，３２の後端部３１ｂ，３２ｂの前側に配置されている。
【０１１６】
操作具４８の持ち手部４８ａ及び保持具４９の前後方向での位置と、前後操作具３８の持ち手部３８ｂの前後方向での位置とが、側面視で略同じ位置に配置されている。前後操作具３８の持ち手部３８ａが、側面視で、予備苗のせ台３１，３２の前端部３１ａ，３２ａよりも後側に配置されている。
【０１１７】
操作具４８の持ち手部４８ａ及び解除位置Ｄ２に操作された保持具４９が、側面視で、前後操作具３８の持ち手部３８ｂの上側に配置されている。前後操作具３８の持ち手部３８ａが、側面視で，上側の予備苗のせ台３１の前部と下側の予備苗のせ台３２の前部との間に配置されている。
【０１１８】
前後操作具３８の持ち手部３８ｂ及び保持位置Ｄ１に操作された保持具４９が、側面視で、上側の予備苗のせ台３１の後部と第２支持リンク４２との間に配置されている。前後操作具３８の後部が、側面視で、操作具４８の持ち手部４８ａと保持位置Ｄ１に操作された保持具４９との間に配置されている。
【０１１９】
操作具４８の持ち手部４８ａ及び保持具４９、前後操作具３８、支持部材３６が、側面視で、予備苗のせ台３１の上端部３１ｃよりも上側に出ない位置に配置されており、操作具４８の持ち手部４８ａが、側面視で、予備苗のせ台３１の下端部３１ｄよりも下側に出ない位置に配置されている。
【０１２０】
保持位置Ｄ１に操作された保持具４９が、側面視で予備苗のせ台３１の下端部３１ｄよりも下側に出る位置に配置されており、解除位置Ｄ２に操作された保持具４９が、側面視で予備苗のせ台３１の下端部３１ｄと略同じ位置に配置されている。
【０１２１】
前後操作具３８（持ち手部３８ａ，３８ｂ）が、平面視で操作具４８及び保持具４９の機体左右中央側（ボンネット２４と予備苗のせ台３１，３２との間の通路側）（前述の（機体の前部の構成）参照）に配置されている。
前後操作具３８の持ち手部３８ａ，３８ｂが保持位置Ｃ１（図８参照）に操作された状態において、前後操作具３８の持ち手部３８ａ，３８ｂは、下向きとなって前述の通路側に突出しない。
【０１２２】
予備苗のせ台３１，３２及び支持機構４５が、中央位置Ｂ１（図６参照）に操作された状態において、側面視で、予備苗のせ台３１，３２の前後中央部に支持フレーム３３が位置しており、予備苗のせ台３１，３２が支持フレーム３３を中心線として対称に配置されている。
【０１２３】
予備苗のせ台３１，３２の前部及び後部に、苗止め部材４３，４４が設けられているので、予備苗のせ台３１，３２に載置された苗が、前側（後側）に移動して予備苗のせ台３１，３２から前側（後側）に落ちるようなことはない。
【０１２４】
（予備苗のせ台の第２状態での各部の位置関係）
図５に示すように、予備苗のせ台３１，３２の第２状態Ａ２において、各部の位置関係は以下の説明のようになっている。
【０１２５】
右及び左の予備苗のせ台３１の後端部３１ｂが、側面視で運転座席２０と略同じ位置に配置されている。
操作具４８の持ち手部４８ａ及び保持具４９、前後操作具３８の持ち手部３８ｂが、側面視で、前後支持機構３７（支持フレーム３３）の後側に配置され、且つ、予備苗のせ台３１の後端部３１ｂの前側に配置されている。
【０１２６】
前後操作具３８及び支持部材３６が、側面視で、予備苗のせ台３１，３２の上端部３１ｃ，３２ｃよりも上側に出る位置に配置されており、前後操作具３８の持ち手部３８ａ，３８ｂが、側面視で、予備苗のせ台３１，３２と重複する位置に配置されている。操作具４８及び保持具４９が、側面視で、前後操作具３８の持ち手部３８ｂの後側に配置されている。
【０１２７】
前側の予備苗のせ台３２に対して、後側の予備苗のせ台３１が少し下側に位置するように配置されている。この場合、作業者は、予備苗のせ台３１の前部の苗止め部材４３、及び、予備苗のせ台３２の後部の苗止め部材４４を、予備苗のせ台３１，３２から取り外したり、予備苗のせ台３１，３２に亘る苗の移動に干渉しない姿勢（位置）に変更する。
【０１２８】
予備苗のせ台３１，３２及び支持機構４５が、中央位置Ｂ１（図６参照）に操作された状態において、側面視で、予備苗のせ台３１，３２の突合せ部分（予備苗のせ台３１の前端部３１ａ及び予備苗のせ台３２の後端部３２ｂ）に支持フレーム３３が位置しており、予備苗のせ台３１，３２が支持フレーム３３を中心線として対称に配置されている。
【０１２９】
予備苗のせ台３１，３２及び支持機構４５が、中央位置Ｂ１（図６参照）に操作された状態において、側面視で、押さえ部材４７が支持フレーム３３に対して少し後側に配置される。
【０１３０】
図４に示すように、予備苗のせ台３１，３２及び支持機構４５が、中央位置Ｂ１（図６参照）に操作された状態において、予備苗のせ台３１，３２が第１状態Ａ１に操作されると、側面視で、押さえ部材４７が支持フレーム３３に対して少し前側に配置される。これにより、予備苗のせ台３１，３２の第１状態Ａ１及び第２状態Ａ２において、押さえ部材４７の前後方向での位置変化は小さなものとなっている。
【０１３１】
以上の説明以外の操作具４８及び保持具４９、前後操作具３８等の位置関係は、前述の（予備苗のせ台の第１状態での各部の位置関係）に記載された位置関係と同じである。
【０１３２】
（発明の実施の第１別形態）
予備苗のせ台３１，３２が、以下の説明のように支持されてもよい。
図１０に示すように、予備苗のせ台３１，３２が、図１〜図９に示す前後支持機構３７及び支持機構４５により支持されている。
【０１３３】
支持フレーム５８が、支持部材３６の上部に連結されて前側に延出され、側面視で円弧状に曲げられて上側に延出されている。支持フレーム５８において、支持部材３６から所定の間隔を開けた上側の位置が、後側に延出されている。支持フレーム５８に、予備苗のせ台５９が取り付けられている。
予備苗のせ台５９が、予備苗のせ台３１から上側に所定の間隔を開けて配置され、背面視及び平面視で予備苗のせ台３１，３２よりも少し機体左右中央側に配置されている。
【０１３４】
図１１に示すように、操作具４８が、苗のせ台フレーム５１の後部に連結されて上側に延出され、操作具４８の持ち手部４８ａが後側に延出されている。操作具４８の持ち手部４８ａが、側面視で予備苗のせ台３１の上端部３１ｃよりも上側に出る位置に配置されており、側面視で予備苗のせ台３１と予備苗のせ台５９との間に配置されている。
【０１３５】
保持具４９が、苗のせ台フレーム５１の後部の左右方向の軸芯Ｐ１４周りに前後に揺動可能に支持されており、保持具４９の下側への延出部分に、凹部状の第１係合部４９ａ及び第２係合部４９ｂが設けられている。保持具４９が、操作具４８の前側に配置され、側面視で予備苗のせ台３１の上端部３１ｃよりも上側に出る位置に配置されている。
【０１３６】
保持具４９は、上側の保持位置Ｄ１及び下側の解除位置Ｄ２に、上下方向に操作可能である。保持具４９と苗のせ台フレーム５１とに亘って、トグルバネ６０が取り付けられており、トグルバネ６０により、保持具４９が保持位置Ｄ１及び解除位置Ｄ２に付勢及び保持される。
【０１３７】
作業者が保持具４９を解除位置Ｄ２に操作することにより、保持具４９の第１係合部４９ａ及び第２係合部４９ｂが、第２支持リンク４２の第１係止部４２ａ及び第２係止部４２ｂから外れ、トグルバネ６０により保持具４９が解除位置Ｄ２に保持される（保持機構６２が解除状態に維持された状態）。作業者は、保持具４９を持たずに、操作具４８の持ち手部４８ａを持つことにより、予備苗のせ台３１，３２を第１状態Ａ１及び第２状態Ａ２に操作することができる。
【０１３８】
図１１に示すように、予備苗のせ台３１，３２が第２状態Ａ２に操作された状態で、保持具４９が解除位置Ｄ２に操作（保持）されて、予備苗のせ台３１，３２が第２状態Ａ２から第１状態Ａ１に操作されると、第２支持リンク４２が軸芯Ｐ７周りに揺動しながら、第２支持リンク４２の第２係止部４２ｂが、図１１の上側に移動して保持具４９の上部に当たる。これにより、保持具４９が軸芯Ｐ１４周りに揺動操作され、トグルバネ６０によって、保持具４９が解除位置Ｄ２から保持位置Ｄ１に自動的に操作される。
【０１３９】
予備苗のせ台３１，３２が第１状態Ａ１に操作されると、保持具４９の第１係合部４９ａが、第２支持リンク４２の第１係止部４２ａに係合して（保持具４９の第１係合部４９ａに、第２支持リンク４２の第１係止部４２ａが入り込んで）、予備苗のせ台３１，３２が第１状態Ａ１に保持される（保持機構６２の保持状態）。
【０１４０】
予備苗のせ台３１，３２が第１状態Ａ１に操作された状態で、保持具４９が解除位置Ｄ２に操作（保持）されて、予備苗のせ台３１，３２が第１状態Ａ１から第２状態Ａ２に操作されると、第２支持リンク４２が軸芯Ｐ７周りに揺動しながら、第２支持リンク４２の第２係止部４２ｂが保持具４９の上部に当たる。これにより、保持具４９が軸芯Ｐ１４周りに揺動操作され、トグルバネ６０によって、保持具４９が解除位置Ｄ２から保持位置Ｄ１に自動的に操作される。
【０１４１】
予備苗のせ台３１，３２が第２状態Ａ２に操作されると、保持具４９の第２係合部４９ｂが、第２支持リンク４２の第２係止部４２ｂに係合して（保持具４９の第２係合部４９ｂに、第２支持リンク４２の第２係止部４２ｂが入り込んで）、予備苗のせ台３１，３２が第２状態Ａ２に保持される（保持機構６２の保持状態）。
【０１４２】
（発明の実施の第２別形態）
図１２に示すように、支持機構４５において、第１支持リンク４１及び第２支持リンク４２が、側面視で、前後逆向きに配置されてもよい。
【０１４３】
図１２に示すように、第１状態Ａ１での第１支持リンク４１の軸芯Ｐ３から後側の斜め上側に延出された部分に、第１状態Ａ１での上側の予備苗のせ台３１の後端部３１ｂから前側の部分が、軸芯Ｐ８周りに揺動可能に接続されている。
【０１４４】
第１状態Ａ１での第１支持リンク４１の軸芯Ｐ３から前側の斜め下側に延出された部分に、第１状態Ａ１での下側の予備苗のせ台３２の前端部３２ａからから後側の部分が、軸芯Ｐ１０周りに揺動可能に接続されている。
【０１４５】
第１状態Ａ１での第２支持リンク４２の軸芯Ｐ６から後側の斜め上側に延出された部分に、第１状態Ａ１での上側の予備苗のせ台３１の後端部３１ｂが、軸芯Ｐ７周りに揺動可能に接続されている。
【０１４６】
第１状態Ａ１での第２支持リンク４２の軸芯Ｐ６から前側の斜め下側に延出された部分に、第１状態Ａ１での下側の予備苗のせ台３２の前後中央部が、軸芯Ｐ９周りに揺動可能に接続されている。
【０１４７】
予備苗のせ台３１，３２が第１状態Ａ１から第２状態Ａ２に操作されると、第１状態Ａ１での上側の予備苗のせ台３１が前側となり、第１状態Ａ１での下側の予備苗のせ台３２が運転座席２０側（後側）となって、予備苗のせ台３１の後端部３１ｂと予備苗のせ台３２の前端部３２ａとが接する。
この構成では、操作具４８及び保持具４９、保持機構６２が、予備苗のせ台３２（苗のせ台フレーム５２）に設けられるとよい。
【０１４８】
（発明の実施の第３別形態）
前述の（発明の実施の第１別形態）の図１０に示す支持フレーム５８及び予備苗のせ台５９が、図１〜図９及び（発明の実施の第２別形態）に示す構成に加えられてもよい。
【０１４９】
予備苗のせ台３１，３２及び支持機構４５が、中央位置Ｂ１、前側位置Ｂ２及び後側位置Ｂ３に加えて、多数の位置に位置変更可能に構成されてもよい。
操作具４８及び保持具４９が予備苗のせ台３１，３２に直接に取り付けられてもよい。
前後操作具３８において、支持部材３６から前側に延出される部分及び持ち手部３８ａが設けられなくてもよい。
３個以上の予備苗のせ台３１，３２に対して、図１〜図９に示す構成や、図１０〜図１２に示す構成が適用されてもよい。
【産業上の利用可能性】
【０１５０】
本発明は、乗用型田植機における予備苗のせ台に適用できる。
【符号の説明】
【０１５１】
３      機体
２０    運転座席
３１    予備苗のせ台
３１ｂ  後端部
３２    予備苗のせ台
３２ｂ  後端部
３７    前後支持機構
３８    前後操作具
３８ｂ  持ち手部
４５    支持機構
４８    操作具
４８ａ  持ち手部
６１    前後保持機構
６２    保持機構
Ａ１    第１状態
Ａ２    第２状態
Ｐ５    軸芯
【図１】
2020099258.tif 000003
【図２】
2020099258.tif 000004
【図３】
2020099258.tif 000005
【図４】
2020099258.tif 000006
【図５】
2020099258.tif 000007
【図６】
2020099258.tif 000008
【図７】
2020099258.tif 000009
【図８】
2020099258.tif 000010
【図９】
2020099258.tif 000011
【図１０】
2020099258.tif 000012
【図１１】
2020099258.tif 000013
【図１２】
2020099258.tif 000014